(57)【特許請求の範囲】
【請求項１】
一対の基板間に液晶が介在され、各基板には上記液晶を駆動するための駆動用電極が形成された液晶パネルを備え、
上記液晶パネルには、上記駆動用電極の所定本数毎に接続され、各駆動用電極を駆動可能な駆動手段を備えた電極接続端子部と、該電極接続端子部に液晶駆動用の信号を供給するための回路基板とが設けられ、
上記各電極接続端子部間には、上記回路基板から供給された信号を各電極接続端子部に順次転送するための接続配線が設けられると共に、
少なくとも一つの電極接続端子部間に、上記接続配線に転送される信号を安定化させる安定化手段が設けられ、
該安定化手段は、上記液晶駆動用の信号としての駆動信号および駆動電圧の強度を調整するための電子部品が搭載されたフレキシブル基板からなり、
上記フレキシブル基板の電子部品と上記接続配線とが電気的に接続されていることを特徴とする液晶表示装置。
【請求項２】
一対の基板間に液晶が介在され、各基板には上記液晶を駆動するための駆動用電極が形成された液晶パネルを備え、
上記液晶パネルには、上記駆動用電極の所定本数毎に接続され、各駆動用電極を駆動可能な駆動手段を備えた電極接続端子部と、該電極接続端子部の駆動手段に液晶駆動用の信号を供給するための回路基板とが設けられ、
上記各電極接続端子部間には、上記回路基板から供給された信号を各電極接続端子部に順次転送するための接続配線が設けられると共に、
少なくとも一つの電極接続端子部間に、上記接続配線に転送される信号を安定化させる安定化手段が設けられ、
該安定化手段は、上記液晶駆動用の信号としての駆動信号および駆動電圧の強度を調整するための電子部品が搭載されたフレキシブル基板からなり、
上記フレキシブル基板の電子部品と上記接続配線とが電気的に接続されていることを特徴とする液晶表示装置。
【請求項３】
一対の基板間に液晶が介在され、各基板には上記液晶を駆動するための駆動用電極が形成された液晶パネルを備え、
上記液晶パネルには、上記駆動用電極の所定本数毎に接続され、各駆動用電極を駆動可能な駆動手段を備えた電極接続端子部と、該電極接続端子部に液晶駆動用の信号を供給するための回路基板とが設けられ、
上記各電極接続端子部間には、上記回路基板から供給された信号を各電極接続端子部に順次転送するための接続配線が設けられると共に、
少なくとも一つの電極接続端子部間に、上記接続配線に転送される信号を安定化させる安定化手段が設けられ、
該安定化手段は、上記液晶駆動用の信号としての駆動信号および駆動電圧の強度を調整するための電子部品が搭載されたフレキシブル基板からなり、
上記フレキシブル基板の電子部品と上記接続配線とが電気的に接続され、
上記液晶駆動用の信号としての駆動信号および駆動電圧を上記電極接続端子部に供給する手段を兼ねていることを特徴とする液晶表示装置。
【請求項４】
一対の基板間に液晶が介在され、各基板には上記液晶を駆動するための駆動用電極が形成された液晶パネルを備え、
上記液晶パネルには、上記駆動用電極の所定本数毎に接続され、各駆動用電極を駆動可能な駆動手段を備えた電極接続端子部と、該電極接続端子部の駆動手段に液晶駆動用の信号を供給するための回路基板とが設けられ、
上記各電極接続端子部間には、上記回路基板から供給された信号を各電極接続端子部に順次転送するための接続配線が設けられると共に、
少なくとも一つの電極接続端子部間に、上記接続配線に転送される信号を安定化させる安定化手段が設けられ、
該安定化手段は、上記液晶駆動用の信号としての駆動信号および駆動電圧の強度を調整するための電子部品が搭載されたフレキシブル基板からなり、
上記フレキシブル基板の電子部品と上記接続配線とが電気的に接続され、
上記液晶駆動用の信号としての駆動信号および駆動電圧を上記電極接続端子部に供給する手段を兼ねていることを特徴とする液晶表示装置。
【請求項５】
上記安定化手段は、複数の電極接続端子部間に配置されており、
それぞれの安定化手段は、隣接する２つの電極接続端子部から、上記接続配線を介して電気的に接続された下流側の電極接続端子部にかけて、上記駆動信号および駆動電圧を供給することを特徴とする請求項３または４に記載の液晶表示装置。
【請求項６】
一対の基板間に液晶が介在され、各基板には上記液晶を駆動するための駆動用電極が形成された液晶パネルを備え、
上記液晶パネルには、
上記駆動用電極の所定本数毎に接続され、各駆動用電極を駆動可能な駆動手段を備えた電極接続端子部と、
上記電極接続端子部に、液晶駆動用の信号としての駆動信号および駆動電圧を供給するための回路基板とが設けられ、
上記電極接続端子部間に、上記駆動信号および駆動電圧を各電極接続端子部に順次転送するための接続配線が設けられると共に、該接続配線に転送される上記駆動電圧を安定化させる安定化手段が設けられ、
上記安定化手段は、上記液晶駆動用の信号としての駆動信号および駆動電圧の強度を調整するための電子部品が搭載されたフレキシブル基板からなり、
少なくとも一つの電極接続端子部間に配置され、
隣接する２つの電極接続端子部から、上記接続配線を介して電気的に接続された下流側の電極接続端子部にかけて、液晶駆動用の信号としての駆動電圧を供給することを特徴とする液晶表示装置。
【請求項７】
一対の基板間に液晶が介在され、各基板には上記液晶を駆動するための駆動用電極が形成された液晶パネルを備え、
上記液晶パネルには、
上記駆動用電極の所定本数毎に接続され、各駆動用電極を駆動可能な駆動手段を備えた電極接続端子部と、
上記電極接続端子部の駆動手段に液晶駆動用の信号としての駆動信号および駆動電圧を供給するための回路基板とが設けられ、
上記電極接続端子部間に、上記駆動信号および駆動電圧を各電極接続端子部に順次転送するための接続配線が設けられると共に、該接続配線に転送される上記駆動電圧を安定化させる安定化手段が設けられ、
上記安定化手段は、上記液晶駆動用の信号としての駆動信号および駆動電圧の強度を調整するための電子部品が搭載されたフレキシブル基板からなり、
少なくとも一つの電極接続端子部間に配置され、
隣接する２つの電極接続端子部から、上記接続配線を介して電気的に接続された下流側の電極接続端子部にかけて、液晶駆動用の信号としての駆動電圧を供給することを特徴とする液晶表示装置。
【請求項８】
上記電極接続端子部を覆うように設けられたベゼルが設けられており、該ベゼルの上面部には、上記電極接続端子部の上部が突出するように、開口穴が形成されていることを特徴とする請求項１から７の何れか一項に記載の液晶表示装置。
【請求項９】
上記安定化手段は、該安定化手段の幅よりも幅が狭くなるように形成された接続端子部を備え、上記接続端子部を残した導体部分が、絶縁性の樹脂からなるカバーレイに被覆されていることを特徴とする請求項１から８の何れか一項に記載の液晶表示装置。
【発明の詳細な説明】
【０００１】
【発明の属する技術分野】
本発明は、液晶表示装置に関し、特に液晶表示パネルと、液晶駆動用の信号としての駆動電圧および駆動信号を供給するための回路基板との実装構造に関する。
【０００２】
【従来の技術】
従来より、液晶表示装置における液晶パネルと、該液晶パネルに液晶駆動用の信号としての駆動信号および駆動電圧を供給するための回路基板（駆動ＩＣ）との実装方式としては、ＴＣＰ(tape carrier package)方式とＣＯＧ(chip on glass) 方式とが採用されている。
【０００３】
ＴＣＰ方式の場合、図１１に示すように、液晶パネル１０１には液晶駆動ＩＣを搭載したフレキシブル基板（以下、ＴＣＰと称する）１０２が接続され、このＴＣＰ１０２に搭載された液晶駆動ＩＣから駆動電圧および駆動信号が液晶パネル１０１に出力されている。
【０００４】
また、各ＴＣＰ１０２には外部から駆動電圧および駆動信号が該ＴＣＰ１０２のパネル接続と反対側に接続された回路基板１０３を介して入力される。
【０００５】
ところで、ＴＣＰ方式の回路基板１０３では、各ＴＣＰ１０２に駆動電圧および駆動信号を供給するため、非常に多くの本数の入力信号が必要とされる。このため、回路基板１０３では、通常、４層から８層の導体層からなる多層積層板を使用しており、サイズとして、５ｍｍから１０ｍｍの幅、０．６ｍｍから１ｍｍの厚さが必要とされる。
【０００６】
上記のようにＴＣＰ方式では、液晶表示装置用の回路基板１０３より各ＴＣＰ１０２に対して駆動電圧および駆動信号を供給するため、多数の配線を形成する必要があり、回路基板１０３のサイズが大きくなったり、多層配線などの技術を用いる必要があり、コスト低減が困難であった。
【０００７】
そこで、上述したＴＣＰ方式の各問題点を解消するために、特開平８−１４６４４９号公報には、ＴＣＰ方式を応用した実装構造が開示されている。この実装構造では、従来のＴＣＰ方式と同様に、液晶パネルの周縁部にＴＣＰを設けるとともに、ＴＣＰ列の外側に沿ってフレキシブル配線基板が設けられている。しかし、フレキシブル配線基板上の配線とＴＣＰ上の配線との接続領域が、従来のごとくフレキシブル配線基板とＴＣＰ列との間に設けられる代りに、各ＴＣＰ間に設けられているため、液晶パネルの周縁部（額縁）の面積をより小さくすることが可能となっている。
【０００８】
しかしながら、上記の構成は、フレキシブル配線基板上の配線とＴＣＰ上の配線との接続領域の位置を、従来のＴＣＰ方式の実装構造から単に変更したものにすぎないので、フレキシブル配線基板上に形成すべき配線数を減らすことはできない。また、フレキシブル配線基板上の配線を、各ＴＣＰ間まで引き回す必要が生じるため、これら配線は従来のものより長くなる。したがって、以下にも説明するが、パネルサイズが大きくなり、より長尺のフレキシブル配線基板が使用されると、駆動信号や駆動電圧の供給時の劣化が問題となる虞が大きい。
【０００９】
一方、ＣＯＧ方式の場合、図１２に示すように、液晶パネル１１１を構成するガラス基板１１１ａの周縁部上に液晶駆動ＩＣ１１２と、液晶駆動ＩＣ１１２に駆動電圧および駆動信号を供給するための回路基板１１３とを設けた構造となっている。
【００１０】
上記のようにＣＯＧ方式では、回路基板１１３から各液晶駆動ＩＣ１１２に駆動電圧および駆動信号を供給するようになっているため、回路基板１１３を液晶パネル１１１に容易に接続することができる。
【００１１】
【発明が解決しようとする課題】
ところで、上記ＴＣＰ方式を応用した実装方式においては、上述したように、パネルサイズの大型化に伴い、駆動信号や駆動電圧の供給時の劣化が問題となる。これは、各ＴＣＰに供給される駆動信号や駆動電圧が、例えば液晶パネルの角部近傍に位置するフレキシブル配線基板上の領域（供給ポイント）を介して外部から供給され、次いで、この配線基板上の配線を介して各ＴＣＰに供給される構造をとるためである。すなわち、上記供給ポイントから離れたＴＣＰほど、供給される駆動信号や駆動電圧に劣化が認められることとなる。よって、表示サイズが１０型程度の液晶表示装置では、このような劣化は一般に生じないが、表示サイズが１５型以上の大型液晶表示装置では両端に位置するＴＣＰ間の間隔が広くなり、フレキシブル配線基板の配線抵抗による電圧降下の影響で駆動信号の転送が不可能となるという問題が生じる。
【００１２】
また仮に、表示サイズが１５型以上の大型液晶表示装置において、駆動信号のみをＴＣＰ間に転送できたとしても、より劣化しやすい駆動電圧の転送は不可能である。このため、駆動電圧を各ＴＣＰに供給するための回路基板が別に必要となり、液晶表示装置の製造に係る装置の投資および製造コストの増大は避けられない。
【００１３】
また、上記のＣＯＧ方式では、図１２に示すように、回路基板１１３から各液晶駆動ＩＣ１１２に駆動電圧および駆動信号を供給するようになっているため、表示サイズが１０型程度の液晶表示装置では、回路基板１１３を液晶パネル１１１に容易に接続することができるが、表示サイズが１５型以上の大型液晶表示装置の場合には、回路基板１１３も大きくなるため、回路基板１１３と液晶パネル１１１との接続が非常に困難となる。
【００１４】
しかも、上記のＣＯＧ方式では、液晶駆動ＩＣ１１２と回路基板１１３とが液晶パネル１１１の周縁部に接続されているため、液晶表示装置の液晶パネル１１１の表示可能領域以外の部分を含むパネルサイズが大きくなるという問題が生じる。
【００１５】
本発明は、上記の各問題点を解決するためになされたもので、その目的は、液晶パネルの大型化に伴う配線抵抗による電圧降下の影響を無くした駆動電圧を各ＴＣＰに供給可能な実装構造を有する液晶表示装置を提供することにある。
【００１６】
【課題を解決するための手段】
本発明の液晶表示装置は、上記の課題を解決するために、一対の基板間に液晶が介在され、各基板には上記液晶を駆動するための駆動用電極が形成された液晶パネルを備え、上記液晶パネルには、上記駆動用電極の所定本数毎に接続され、各駆動用電極を駆動可能な駆動手段を備えた電極接続端子部と、該電極接続端子部に液晶駆動用の信号を供給するための回路基板とが設けられ、上記各電極接続端子部間には、上記回路基板から供給された信号を各電極接続端子部に順次転送するための接続配線が設けられると共に、少なくとも一つの電極接続端子部間に、上記接続配線に転送される信号を安定化させる安定化手段が設けられ、該安定化手段は、上記液晶駆動用の信号としての駆動信号および駆動電圧の強度を調整するための電子部品が搭載されたフレキシブル基板からなり、上記フレキシブル基板の電子部品と上記接続配線とが電気的に接続されていることを特徴としている。
【００１７】
本発明の液晶表示装置は、上記の課題を解決するために、一対の基板間に液晶が介在され、各基板には上記液晶を駆動するための駆動用電極が形成された液晶パネルを備え、上記液晶パネルには、上記駆動用電極の所定本数毎に接続され、各駆動用電極を駆動可能な駆動手段を備えた電極接続端子部と、該電極接続端子部の駆動手段に液晶駆動用の信号を供給するための回路基板とが設けられ、上記各電極接続端子部間には、上記回路基板から供給された信号を各電極接続端子部に順次転送するための接続配線が設けられると共に、少なくとも一つの電極接続端子部間に、上記接続配線に転送される信号を安定化させる安定化手段が設けられ、該安定化手段は、上記液晶駆動用の信号としての駆動信号および駆動電圧の強度を調整するための電子部品が搭載されたフレキシブル基板からなり、上記フレキシブル基板の電子部品と上記接続配線とが電気的に接続されていることを特徴としている。
【００１８】
本発明の液晶表示装置は、上記の課題を解決するために、一対の基板間に液晶が介在され、各基板には上記液晶を駆動するための駆動用電極が形成された液晶パネルを備え、上記液晶パネルには、上記駆動用電極の所定本数毎に接続され、各駆動用電極を駆動可能な駆動手段を備えた電極接続端子部と、該電極接続端子部に液晶駆動用の信号を供給するための回路基板とが設けられ、上記各電極接続端子部間には、上記回路基板から供給された信号を各電極接続端子部に順次転送するための接続配線が設けられると共に、少なくとも一つの電極接続端子部間に、上記接続配線に転送される信号を安定化させる安定化手段が設けられ、該安定化手段は、上記液晶駆動用の信号としての駆動信号および駆動電圧の強度を調整するための電子部品が搭載されたフレキシブル基板からなり、上記フレキシブル基板の電子部品と上記接続配線とが電気的に接続され、上記液晶駆動用の信号としての駆動信号および駆動電圧を上記電極接続端子部に供給する手段を兼ねていることを特徴としている。
【００１９】
本発明の液晶表示装置は、上記の課題を解決するために、一対の基板間に液晶が介在され、各基板には上記液晶を駆動するための駆動用電極が形成された液晶パネルを備え、上記液晶パネルには、上記駆動用電極の所定本数毎に接続され、各駆動用電極を駆動可能な駆動手段を備えた電極接続端子部と、該電極接続端子部の駆動手段に液晶駆動用の信号を供給するための回路基板とが設けられ、上記各電極接続端子部間には、上記回路基板から供給された信号を各電極接続端子部に順次転送するための接続配線が設けられると共に、少なくとも一つの電極接続端子部間に、上記接続配線に転送される信号を安定化させる安定化手段が設けられ、該安定化手段は、上記液晶駆動用の信号としての駆動信号および駆動電圧の強度を調整するための電子部品が搭載されたフレキシブル基板からなり、上記フレキシブル基板の電子部品と上記接続配線とが電気的に接続され、上記液晶駆動用の信号としての駆動信号および駆動電圧を上記電極接続端子部に供給する手段を兼ねていることを特徴としている。
【００２０】
本発明の液晶表示装置は、上記の課題を解決するために、上記安定化手段は、複数の電極接続端子部間に配置されており、それぞれの安定化手段は、隣接する２つの電極接続端子部から、上記接続配線を介して電気的に接続された下流側の電極接続端子部にかけて、上記駆動信号および駆動電圧を供給することを特徴としている。
【００２１】
本発明の液晶表示装置は、上記の課題を解決するために、一対の基板間に液晶が介在され、各基板には上記液晶を駆動するための駆動用電極が形成された液晶パネルを備え、上記液晶パネルには、上記駆動用電極の所定本数毎に接続され、各駆動用電極を駆動可能な駆動手段を備えた電極接続端子部と、上記電極接続端子部に、液晶駆動用の信号としての駆動信号および駆動電圧を供給するための回路基板とが設けられ、上記電極接続端子部間に、上記駆動信号および駆動電圧を各電極接続端子部に順次転送するための接続配線が設けられると共に、該接続配線に転送される上記駆動電圧を安定化させる安定化手段が設けられ、上記安定化手段は、上記液晶駆動用の信号としての駆動信号および駆動電圧の強度を調整するための電子部品が搭載されたフレキシブル基板からなり、少なくとも一つの電極接続端子部間に配置され、隣接する２つの電極接続端子部から、上記接続配線を介して電気的に接続された下流側の電極接続端子部にかけて、液晶駆動用の信号としての駆動電圧を供給することを特徴としている。
【００２２】
本発明の液晶表示装置は、上記の課題を解決するために、一対の基板間に液晶が介在され、各基板には上記液晶を駆動するための駆動用電極が形成された液晶パネルを備え、上記液晶パネルには、上記駆動用電極の所定本数毎に接続され、各駆動用電極を駆動可能な駆動手段を備えた電極接続端子部と、上記電極接続端子部の駆動手段に液晶駆動用の信号としての駆動信号および駆動電圧を供給するための回路基板とが設けられ、上記電極接続端子部間に、上記駆動信号および駆動電圧を各電極接続端子部に順次転送するための接続配線が設けられると共に、該接続配線に転送される上記駆動電圧を安定化させる安定化手段が設けられ、上記安定化手段は、上記液晶駆動用の信号としての駆動信号および駆動電圧の強度を調整するための電子部品が搭載されたフレキシブル基板からなり、少なくとも一つの電極接続端子部間に配置され、隣接する２つの電極接続端子部から、上記接続配線を介して電気的に接続された下流側の電極接続端子部にかけて、液晶駆動用の信号としての駆動電圧を供給することを特徴としている。
【００２３】
上記の構成によれば、電極接続端子部（ＴＣＰ）間の接続配線に転送される信号を安定化させる安定化手段が設けられていることで、液晶パネルのサイズが大きくなりＴＣＰ間の間隔が広くなった場合に生じる配線抵抗の増大による電圧降下の影響を無くすことができる。すなわち、液晶パネルの大型化に伴う配線抵抗による電圧降下の影響を軽減した駆動電圧を各ＴＣＰに供給可能となる。
【００２４】
なお、上記液晶表示装置においては、上記回路基板が、隣接する１または２つの電極接続端子部とのみ直接接続されており、この回路基板と直接接続されていない他の電極接続端子部は、各電極端子部間に設けられた上記説明の接続配線を介し、上記回路基板と間接的かつ電気的に接続されていることがより好ましい。さらに、上記の安定化手段は、各ＴＣＰ間に設けられていることがより好ましい。加えて、上記液晶駆動用の信号は、回路基板からＴＣＰの駆動手段に供給されるものであってもよい。
【００２５】
さらに、上記安定化手段は、駆動電圧および駆動信号を供給する手段を兼ね、且つ、ＴＣＰ間に分割して駆動電圧および駆動信号を供給できるように、ＴＣＰ列を構成するＴＣＰ間の所定の位置に複数配置されていてもよい。
【００２６】
この場合、安定化手段は、ＴＣＰ間に転送される駆動電圧および駆動信号が減衰許容値以下になる直前の位置に配置されればよい。この安定化手段の配置数や配置位置は、液晶表示装置のサイズと解像度により異なり、パネルサイズが大きい程、また、解像度が高く周波数が高い程、この安定化手段による駆動電圧および駆動信号の分割供給が必要となる。
【００２７】
また、ＴＣＰの駆動手段に液晶駆動用の信号としての駆動信号および駆動電圧を供給するための回路基板が設けられ、上記ＴＣＰ間に、上記回路基板から供給された駆動信号および駆動電圧を各ＴＣＰに順次転送するための接続配線が設けられると共に、該接続配線に転送される液晶駆動用の電圧（駆動電圧）を安定化させる安定化手段が設けられ、上記安定化手段は、ＴＣＰ間に少なくとも１個配置され、隣接する２つのＴＣＰから、上記接続配線を介して電気的に接続された下流側のＴＣＰにかけて、上記駆動電圧を供給するようにしてもよい。
【００２８】
この場合、安定化手段は、ＴＣＰ間に転送される駆動電圧および駆動信号が減衰許容値以下になる直前の位置に配置されればよい。この安定化手段の配置数や配置位置は、液晶表示装置のサイズ等により異なり、パネルサイズが大きい程、この安定化手段による駆動電圧の分割供給が必要となる。なお、上記液晶駆動用の信号である駆動信号および駆動電圧は、回路基板からＴＣＰの駆動手段に供給されるものであってもよい。
【００２９】
【発明の実施の形態】
〔実施の形態１〕
本発明の一実施の形態について説明すれば、以下の通りである。
【００３０】
本実施の形態に係る液晶表示装置は、図１に示すように、表示素子としての液晶パネル１と、該液晶パネル１に後述するゲート配線１０やソース配線１１を駆動させるための駆動電圧および駆動信号などの液晶駆動用の信号（以下、単に信号と総称する）を供給する回路基板２と、該回路基板２からの信号を液晶パネル１に供給するための複数の電極接続端子部としてのゲートＴＣＰ４とソースＴＣＰ５とを備えている。
【００３１】
なお、本発明において、上記液晶駆動用の信号とは、回路基板２からゲートＴＣＰ４やソースＴＣＰ５に入力され、以下に説明する転送パネル配線１２を通じて複数のゲートＴＣＰ４間またはソースＴＣＰ５間を順次転送される全ての電気的な信号を指し、特にゲートＴＣＰ４またはソースＴＣＰ５が備える駆動ＩＣに入力される信号のみに限定されるものではない。また、上記の「駆動電圧」とは、１）駆動ＩＣを介さずに液晶パネル１に直接印加される対向電圧、２）駆動ＩＣに入力され、該駆動ＩＣを駆動するための電圧（電源電圧）、３）転送パネル配線１２で接続された複数のゲートＴＣＰ４またはソースＴＣＰ５のＧＮＤ電圧（ＧＮＤ電位）、とが含まれている。一方、上記の「駆動信号」とは、ゲートＴＣＰ４またはソースＴＣＰ５が備える駆動ＩＣに入力され、ゲート配線やソース配線（駆動用電極）の動作を制御するための信号（データ信号やタイミング信号など）を指している。
【００３２】
上記液晶パネル１は、アクティブマトリックス基板８と対向基板９との間に液晶（図示せず）が介在されており、この液晶に電圧を印加して該液晶の配向状態を変更することにより所望する画像を表示するようになっている。
【００３３】
上記アクティブマトリックス基板８には、図示しないがマトリックス状に配置された絵素電極および薄膜トランジスタが設けられており、これらの絵素電極および薄膜トランジスタには駆動用電極としてのゲート配線１０およびソース配線１１が接続されている。
【００３４】
上記対向基板９には、上記アクティブマトリックス基板８上に形成された絵素電極などに対向した対向電極（図示せず）が設けられている。
【００３５】
このように、アクティブマトリックス基板８のゲート配線１０およびソース配線１１を介して制御される絵素電極と、対向基板９の対向電極との間に電圧を印加することで、アクティブマトリックス基板８と対向基板９とで挟持された液晶の配向状態を変更するようになっている。
【００３６】
上記のアクティブマトリックス基板８は、その周縁部が対向基板９よりも大きくなっており、この周縁部に回路基板２、複数のゲートＴＣＰ４、複数のソースＴＣＰ５が形成されている。上記のゲートＴＣＰ４とソースＴＣＰ５とは、アクティブマトリックス基板８上の隣り合う辺に沿って配設されてゲートＴＣＰ列およびソースＴＣＰ列を構成しており、この辺の交差部分である角部に回路基板２が配置されている。
【００３７】
上記の各ゲートＴＣＰ４は、所定本数毎に引き出されたゲート配線１０が接続されており、隣接するゲートＴＣＰ４同士が転送用パネル配線１２によって電気的に接続されている。また、回路基板２に最も近い位置に設けられたゲートＴＣＰ４は、配線３を介して回路基板２に電気的に接続されている。
【００３８】
さらに、ゲートＴＣＰ４には、上記回路基板２からの駆動用の信号に基づいて各ゲート配線１０を駆動させる駆動手段としての駆動ＩＣ４ａが設けられ、この駆動ＩＣ４ａの図示しない端子部と、上記のゲート配線１０および上記転送用パネル配線１２とが電気的に接続されている。
【００３９】
これにより、回路基板２からの信号は、該回路基板２に配線３で直接接続されている上流側のゲートＴＣＰ４から順に下流側のゲートＴＣＰ４に転送され、それぞれのゲートＴＣＰ４上に配置された駆動ＩＣ４ａによりゲート配線１０が駆動されるようになっている。
【００４０】
また、上記の各ソースＴＣＰ５は、所定本数毎に引き出されたソース配線１１が接続されており、隣接するソースＴＣＰ５同士が転送用パネル配線１２によって電気的に接続されている。また、回路基板２に最も近い位置に設けられたソースＴＣＰ５は、配線３を介して回路基板２に電気的に接続されている。
【００４１】
さらに、ソースＴＣＰ５には、上記回路基板２からの駆動用の信号に基づいて各ソース配線１１を駆動させる駆動手段としての駆動ＩＣ５ａが設けられ、この駆動ＩＣ５ａの図示しない端子部と、上記ソース配線１１および転送用パネル配線１２とが接続されている。
【００４２】
これにより、回路基板２からの信号は、該回路基板２に配線３で直接接続されている上流側のソースＴＣＰ５から順に下流側のソースＴＣＰ５に転送され、それぞれのソースＴＣＰ５上に配置された駆動ＩＣ５ａによりソース配線１１が駆動されるようになっている。
【００４３】
上記の転送用パネル配線１２は、上述したように、ゲートＴＣＰ４同士およびソースＴＣＰ５同士を電気的に接続する配線である。この転送用パネル配線１２の接続構造についての詳細は後述する。
【００４４】
上記構成の液晶表示装置において、液晶パネル１の表示サイズが大きい１５型以上の場合、設けるＴＣＰの数を、パネルサイズの大きさに見合うように増やさなければ、液晶パネル１の周囲に設けられているゲートＴＣＰ４同士あるいはソースＴＣＰ５同士の間隔が広くなり、回路基板２から各ゲートＴＣＰ４あるいはソースＴＣＰ５に転送される信号は下流側になるほど減衰し、表示性能を低下させるという問題が生じる。
【００４５】
そこで、本実施の形態では、図１に示すように、液晶パネル１の長辺側に配置されているソースＴＣＰ５間に、転送用パネル配線１２を転送される信号を安定化するための安定化手段として、フレキシブル基板６を設けている。
【００４６】
上記フレキシブル基板６は、液晶駆動用の信号および電圧（すなわち、駆動信号および駆動電圧）の強度を調整するための電子部品７が搭載されており、この電子部品７が上記転送用パネル配線１２と電気的に接続されている。この電子部品７としては、例えばチップコンデンサ、チップ抵抗、チップトランス、レギュレータ等が好適に用いられる。
【００４７】
例えば、電子部品７としてチップコンデンサをフレキシブル基板６におけるＶccやＶLS配線に搭載し、転送用パネル配線１２における電圧変動を抑えたり、または、電子部品７としてレギュレータをフレキシブル基板６におけるＶccやＶLS配線に搭載し、入力電圧（例えば５Ｖ）を変圧（例えば３．３Ｖ）し、下流側に配置されたソースＴＣＰ５に供給することが考えられる。
【００４８】
上記のフレキシブル基板６とソースＴＣＰ５との接続構造について、図２（ａ）・（ｂ）を参照しながら以下に説明する。
【００４９】
図２（ａ）に示すように、アクティブマトリックス基板８上における、ソースＴＣＰ５の配設位置に対応する部分には、ソース配線１１、転送用パネル配線１２、対向電極配線１３、電源配線１４、共通配線１５が形成されている。
【００５０】
上記転送用パネル配線１２と共通配線１５とは、アクティブマトリックス基板８上における、フレキシブル基板６を介して配設されるソースＴＣＰ５の配設位置に対応する部分まで延設された構造となっている。
【００５１】
また、アクティブマトリックス基板８上における、フレキシブル基板６の配設位置に対応する部分には、上記電源配線１４の電源端子１４ａが形成されている。
【００５２】
上記フレキシブル基板６は、図２（ｂ）に示すように、３つの電子部品７が並列に配設されており、このうち２つの電子部品７は、端子部７ａを介して、図２（ａ）に示す電源配線１４の電源端子１４ａに接続され、残りの電子部品７は、端子部７ａを介して、図２（ａ）に示す共通配線１５に接続されている。
【００５３】
これにより、ソースＴＣＰ５間に、転送用パネル配線１２とは別の配線、すなわち電源配線１４および共通配線１５が平行して形成されることになるので、ソースＴＣＰ５間を流れる信号に対する転送時の抵抗値を低くすることができる。
【００５４】
上記構成の液晶表示装置によれば、ソースＴＣＰ５間に、転送用パネル配線１２に転送される信号を安定化させる安定化手段としてのフレキシブル基板６が設けられていることで、液晶パネル１のサイズが大きくなりソースＴＣＰ５間の間隔が広くなった場合に生じる配線抵抗の増大による電圧降下の影響を無くすことができる。すなわち、液晶パネル１の大型化に伴う配線抵抗による電圧降下の影響を無くした駆動電圧を各ソースＴＣＰ５に供給可能となる。
【００５５】
これにより、従来、液晶パネル１のサイズを大きくした場合に、ソースＴＣＰ５に安定した駆動電圧を供給するために必要であった回路基板を無くすことができる。
【００５６】
したがって、液晶表示装置の製造において、液晶パネル１に対する各部材の実装工程が飛躍的に短くなり、実装装置の投資抑制、生産手番短縮、生産人員削減などの多くの効果が得られる。
【００５７】
なお、図１および図２では、フレキシブル基板６をソースＴＣＰ５間に設けた例を示しているが、これに限定されず、ゲートＴＣＰ４間にフレキシブル基板６を設けてもよい。
【００５８】
したがって、上記安定化手段（フレキシブル基板６）は、配線抵抗による電圧降下が生じる虞のある場合に、必要に応じて、ゲートＴＣＰ４側あるいはソースＴＣＰ５側、または両方に配置すればよい。
【００５９】
また、上記構成の液晶表示装置では、液晶パネル１のアクティブマトリックス基板８上に直接ゲートＴＣＰ４およびソースＴＣＰ５（以下、２つのＴＣＰを区別しない場合には、単にＴＣＰと称する）が取り付けられているため、従来の液晶パネルの実装構造で必要だったプリント配線基板を無くした構造となっている。
【００６０】
また、液晶パネル１の周縁部には、図３に示すように、アクティブマトリックス基板８上のＴＣＰ２１を覆うようにベゼル２０が設けられている。このベゼル２０とアクティブマトリックス基板８との空間は、液晶パネル１の厚み、特に対向基板９の厚みによって決定される。
【００６１】
このため、本実施の形態のように、液晶パネル１においてプリント配線基板を無くした構成では、従来のＴＣＰを使用した場合、ベゼル２０とアクティブマトリックス基板８との空間によっては、ＴＣＰ上の駆動ＩＣが液晶パネル１の周縁部を覆うベゼルに当接あるいは突き上げを行い、該ベゼルを適切に配置することができない虞がある。
【００６２】
そこで、図３に示すように、ＴＣＰ２１上の駆動ＩＣ２２の厚みを薄くし、ベゼル２０とアクティブマトリックス基板８との空間に収めることが提案されている。
【００６３】
しかしながら、一般的に、ＴＣＰ２１上の駆動ＩＣ２２の厚みを薄くするのは困難であり、コスト面に問題が生じる。
【００６４】
そこで、従来からあるＴＣＰを用いた場合の例について、図４を参照しながら以下に説明する。
【００６５】
図４に示す例では、ベゼル３０の上面部に開口穴３０ａを形成し、この開口穴３０ａからＴＣＰ３１の駆動ＩＣ３２の上部が突出するようにしている。このように構成することで、駆動ＩＣ３２の厚みを薄くする必要がなく、従来からある比較的駆動ＩＣの厚みのあるＴＣＰ３１を使用することができるので、液晶表示装置の製造に係る費用を低減することができる。
【００６６】
なお、液晶パネル１を液晶表示装置の筐体（図示せず）に収める場合、該筐体に駆動ＩＣ３２が当接しないように、該駆動ＩＣ３２がベゼル３０の開口穴３０ａから突出した部分をできるだけ少なくなるようにするのが望ましい。
【００６７】
上記のように安定化手段としてフレキシブル基板６を用いた場合、外部基板から液晶パネル１に対して直接駆動電圧を低抵抗で送信することができ、かつ、この送信に必要な配線数も従来と比較して大幅に低減可能となる。しかも、液晶パネル１への接続は、従来のＡＣＦ接続技術にて容易に行うことができる。
【００６８】
なお、上記の安定化手段としてフレキシブル基板６を設ける以外に、例えば、ジャンパー線を直接液晶パネル１に接続してもよいし、ベゼルにアースを設け液晶パネル１の接地用端子に直接接続してもよいし、近接する基板からチップ部品を突出させ、液晶パネル１上にそのチップ端部を接続するようにしてもよい。
【００６９】
上記の安定化手段を、「ベゼルにアースを設け、液晶パネル１の接地用端子に直接接続する構成」とする場合を例に挙げ、以下に説明を行う。この構成では図５に示すように、帯状の金属板（ＧＮＤ電極：アース）３０ｂが図示しないベゼルに固定されて、該ベゼルと、ソースＴＣＰ５やフレキシブル基板６との間に位置するように設けられている。上記の金属板３０ｂは、ソースＴＣＰ５上に設けられた駆動ＩＣ５ａや、フレキシブル基板６上に設けられた電子部品７と当接しないように、これら駆動ＩＣ５ａや電子部品７と対向する位置においてのみベゼル側に凸状に屈曲されている波形の部材であり、その波の谷間において、各ソースＴＣＰ５・５間に位置する液晶パネル（アクティブマトリックス基板８）上の領域に設けられた図示しないＧＮＤパッド（接地用パッド：接地用端子）と接触するように構成されている。このような構成とすれば、各ソースＴＣＰ５・５間に設けられたＧＮＤパッドを共通電位としてＧＮＤラインを補強することができる（ＧＮＤ電位を安定化することができる）。
【００７０】
したがって、上記の構成とすれば、ソースＴＣＰ間の配線抵抗の低抵抗化が充分でない場合でも、液晶パネル１の駆動状態をより安定化することが可能となる。特にパネルサイズの大型化により、ソースＴＣＰ間の配線抵抗が上昇してしまう場合や、高精細化により駆動周波数が上昇してしまう場合等に有効となる。なお、いうまでもないが、上記の金属板（ＧＮＤ電極：アース）３０ｂは、ゲートＴＣＰ列をなす複数のゲートＴＣＰ４・４間のＧＮＤパッド毎に接触するように設けることもできる。
【００７１】
また、本実施の形態１以外に、ＴＣＰ間の転送用パネル配線１２上に、駆動電圧および駆動信号の転送を安定化させる方法として、ゲートＴＣＰ４あるいはソースＴＣＰ５における駆動電圧降下を考慮し、回路基板２により、最初のゲートＴＣＰ４あるいはソースＴＣＰ５に印加する駆動電圧に対してある程度高い電圧を印加することが考えられる。例えば液晶パネル１の駆動電圧が３．３Ｖであれば、３．３Ｖよりも高い４Ｖを最初のゲートＴＣＰ４あるいはソースＴＣＰ５に印加する。
【００７２】
具体的には、回路基板２上にレギュレータを実装し、該回路基板２内の駆動配線を途中で２股に分岐させ、一方の駆動配線により次段のソースＴＣＰ５にそのまま４Ｖの電圧が供給され、他方の駆動配線により次段のゲートＴＣＰ４にレギュレータにて減圧された３．３Ｖの電圧が供給される。
【００７３】
このように、各ゲートＴＣＰ４およびソースＴＣＰ５に印加する駆動電圧を、その電圧降下を考慮するように回路基板２で制御するようにすれば、図１および図２で示したようなフレキシブル基板６を設ける必要がなくなる。この場合、回路基板２が駆動電圧および駆動信号を安定化させる安定化手段となる。
【００７４】
このように液晶パネル１に駆動電圧および駆動信号を供給するための回路基板２がフレキシブル基板６のような転送用パネル配線１２を転送する駆動電圧および駆動信号を安定化させる安定化手段を兼ねる例について、以下の実施の形態２において説明する。
【００７５】
〔実施の形態２〕
本発明の他の実施の形態について以下に説明する。なお、本実施の形態では、説明の便宜上、前記実施の形態１と同一の機能を有する部材には同一の符号を付記し、その説明は省略する。
【００７６】
本実施の形態に係る液晶表示装置では、実施の形態１の図１に示すフレキシブル基板６の代わりに、図６に示すように、ソースＴＣＰ５間に安定化手段としてのソース入力ＴＣＰ４１が設けられている点、および回路基板２がゲートＴＣＰ４のみに配線３により電気的に接続されている点が、前記実施の形態１の液晶表示装置と異なる。
【００７７】
上記のゲートＴＣＰ４は、実装された駆動ＩＣ４ａの端子部（図示せず）にアクティブマトリックス基板８上のゲート配線１０が電気的に接続された構造となっている。
【００７８】
また、一端部側のゲートＴＣＰ４には、回路基板２が配線３を介して電気的に接続されている。このため、回路基板２は、前記実施の形態１とは異なり、ゲート配線１０に供給する駆動電圧および駆動信号を上記のゲートＴＣＰ４のみに供給するようになっている。
【００７９】
各ゲートＴＣＰ４は、それぞれ転送用パネル配線１２により直列に接続されているので、端部の回路基板２に配線３により接続されたゲートＴＣＰ４に、該回路基板２から信号が供給されると、この信号は、次段のゲートＴＣＰ４へと順次転送されるようになっている。
【００８０】
一方、上記のソースＴＣＰ５は、実装された駆動ＩＣ５ａの端子部（図示せず）にアクティブマトリックス基板８上のソース配線１１が電気的に接続された構造となっている。
【００８１】
また、上記ソースＴＣＰ５は、互いに転送用パネル配線１２を介して電気的に直列に接続されている。そして、一列に配された複数のソースＴＣＰ５間には、所定の間隔毎に、上記転送用パネル配線１２上にソース入力ＴＣＰ４１が配設されている。
【００８２】
このソース入力ＴＣＰ４１は、両隣のソースＴＣＰ５と電気的に接続されており、ソース配線１１に供給する駆動電圧および駆動信号を両隣のソースＴＣＰ５に入力するようになっている。
【００８３】
ところで、ソースＴＣＰ５に入力される駆動電圧および駆動信号は、入力位置から遠ざかるにつれて、減衰する。そこで、一つのソース入力ＴＣＰ４１は、駆動電圧および駆動信号が液晶パネル１の駆動に支障のない値、すなわち減衰許容値になるソースＴＣＰ５まで信号を送るように配設する必要がある。このため、図６に示すように、一つのソース入力ＴＣＰ４１により駆動電圧および駆動信号が供給可能なソースＴＣＰ５まで転送用パネル配線１２により各ソースＴＣＰ５は直列に接続されている。つまり、他のソース入力ＴＣＰ４１により駆動電圧および駆動信号が供給されるソースＴＣＰ５とは電気的に接続されてはいない。
【００８４】
したがって、ソース入力ＴＣＰ４１の配設位置および配設数は、液晶パネル１のサイズや解像度に応じて、また、該液晶パネル１における駆動電圧および駆動信号の減衰許容値に応じて設定すればよい。
【００８５】
ここで、上記のソース入力ＴＣＰ４１とソースＴＣＰ５との接続構造について、図７（ａ）・（ｂ）を参照しながら以下に説明する。
【００８６】
図７（ａ）に示すように、アクティブマトリックス基板８上のソース入力ＴＣＰ４１の配設位置に対応する部分を中心として、その両側には、該アクティブマトリックス基板８上にソースＴＣＰ５が配置されたときに該ソースＴＣＰ５と接続される各種の配線が形成されている。なお、アクティブマトリックス基板８上のソース入力ＴＣＰ４１の配設位置に対応する部分においても、ソース入力ＴＣＰ４１が配置されたときに該ソース入力ＴＣＰ４１と接続される各種の配線が形成されている。
【００８７】
すなわち、アクティブマトリックス基板８上の一方のソースＴＣＰ５の配設位置に対応する部分には、ソース配線１１、共通配線４２、第１の配線４３、第２の配線４４、電源配線４８、対向電極配線４９が形成されている。
【００８８】
上記共通配線４２、第１の配線４３、電源配線４８は、アクティブマトリックス基板８上において、上記ソース入力ＴＣＰ４１を介して隣接するソースＴＣＰ５の配設位置に対応する部分にまで延設されている。
【００８９】
また、アクティブマトリックス基板８上の他方のソースＴＣＰ５の配設位置に対応する部分には、一方のソースＴＣＰ５の配設位置に対応する部分に形成された共通配線４２、第１の配線４３、電源配線４８が延設されると共に、ソース配線１１および対向電極配線４９の他に第３の配線４５が形成されている。
【００９０】
したがって、アクティブマトリックス基板８上のソース入力ＴＣＰ４１の配設位置に対応する部分には、共通配線４２、第１の配線４３、第２の配線４４、第３の配線４５、電源配線４８が形成されることになる。
【００９１】
また、上記第１の配線４３は、一方のソースＴＣＰ５から他方のソースＴＣＰ５の配設位置まで延設されたことになるので、ソースＴＣＰ５間に駆動電圧および駆動信号を転送するための転送用パネル配線としての機能を有することになる。
【００９２】
上記第２の配線４４は、ソース入力ＴＣＰ４１を介して配置された一方のソースＴＣＰ５に該ソース入力ＴＣＰ４１からの駆動電圧および駆動信号を供給し、上記第３の配線４５は、上記第２の配線４４により駆動電圧および駆動信号が供給されたソースＴＣＰ５とは異なる他方のソースＴＣＰ５に該ソース入力ＴＣＰ４１からの駆動電圧および駆動信号を供給するようになっている。
【００９３】
上記ソース入力ＴＣＰ４１には、図７（ｂ）に示すように、図示しない駆動源からの駆動電圧および駆動信号を各ソースＴＣＰ５に供給するための第１信号供給配線５６および第２信号供給配線５７、共通配線５８、および電源電圧（電源）を各ソースＴＣＰ５に供給するための電源配線５９が形成されている。
【００９４】
すなわち、ソース入力ＴＣＰ４１をアクティブマトリックス基板８上に配置するとき、該ソース入力ＴＣＰ４１の第１接続部５０において、第１信号供給配線５６と、アクティブマトリックス基板８上に形成された第２の配線４４とが接続され、第２信号供給配線５７と、アクティブマトリックス基板８上に形成された第３の配線４５とが接続され、それぞれの配線に対して駆動電圧および駆動信号を供給するようになっている。
【００９５】
また、ソース入力ＴＣＰ４１の第１接続部５０では、二本の電源配線５９の一本がアクティブマトリックス基板８上に形成された二本の電源配線４８の一本と接続されている。
【００９６】
さらに、ソース入力ＴＣＰ４１の第２接続部５１において、残りの電源配線５９とアクティブマトリックス基板８上に形成された残りの電源配線４８とが接続されると共に、共通配線５８とアクティブマトリックス基板８上に形成された共通配線４２とが接続される。
【００９７】
上記の各ソースＴＣＰ５には、図７（ｂ）に示すように、対向電極用配線５２と、駆動ＩＣ５ａに接続された信号出力配線５３および転送用配線５４と、電源配線５５とが形成されている。
【００９８】
すなわち、ソースＴＣＰ５をアクティブマトリックス基板８上に配置したとき、該ソースＴＣＰ５の対向電極用配線５２は、アクティブマトリックス基板８上に形成された対向電極配線４９に接続されると共に、共通配線４２に接続される。
【００９９】
また、上記電源配線５５は、アクティブマトリックス基板８上に形成された電源配線４８に接続され、電源電圧が、ソース入力ＴＣＰ４１から該電源配線４８を介して供給されるようになっている。
【０１００】
さらに、一方のソースＴＣＰ５の転送用配線５４は、アクティブマトリックス基板８上に形成された第１の配線４３および第２の配線４４に接続され、ソース入力ＴＣＰ４１の第１信号供給配線５６からの駆動電圧および駆動信号が該第２の配線４４および転送用配線５４を介して駆動ＩＣ５ａに供給される。
【０１０１】
また、他方のソースＴＣＰ５の転送用配線５４は、アクティブマトリックス基板８上に形成された第１の配線４３および第３の配線４５に接続されており、ソース入力ＴＣＰ４１の第２信号供給配線５７からの駆動電圧および駆動信号が該第３の配線４５および転送用配線５４を介して駆動ＩＣ５ａに供給される。
【０１０２】
さらに、ソースＴＣＰ５に形成された信号出力配線５３は、駆動ＩＣ５ａからの信号をアクティブマトリックス基板８上に形成されたソース配線１１に供給するようになっている。このときの駆動ＩＣ５ａは、転送用配線５４から供給された駆動電圧および駆動信号によって制御され、必要に応じて信号出力配線５３に対して選択的に信号を供給するようになっている。
【０１０３】
以上のように、上記構成の液晶表示装置では、ソース入力ＴＣＰ４１を複数設けて、液晶パネル１の駆動電圧および駆動信号を分割入力するようになっているので、各ソースＴＣＰ５に転送される駆動電圧および駆動信号は、それぞれ減衰許容値よりも大きな値となっている。換言すれば、安定化手段としてのソース入力ＴＣＰ４１は、複数のソースＴＣＰ５から構成される電極接続端子部列（ソースＴＣＰ列）内の所定の位置、すなわち所定のソースＴＣＰ５・５間に配置され、この２つのソースＴＣＰ５・５と、該ソースＴＣＰ５・５に接続配線（ソース用駆動電圧供給配線およびソース用駆動信号供給配線）を介して接続された複数のソースＴＣＰ５とに液晶駆動用の電圧（駆動電圧）および信号（駆動信号）を順次供給する。また、ソース入力ＴＣＰ４１に電気的に接続された複数のソースＴＣＰ５のうち、両端に位置する２つのソースＴＣＰ５・５に転送される駆動電圧および駆動信号は、それぞれ減衰許容値よりも大きな値となっている。
【０１０４】
したがって、液晶パネル１のサイズが大きくなって、ソースＴＣＰ５間の距離が大きくなっても、配線抵抗により減衰した駆動電圧や駆動信号を該ソースＴＣＰ５に供給することがなくなる。
【０１０５】
ところで、上記ソース入力ＴＣＰ４１は、フレキシブル基板からなっているので、図８（ａ）・（ｂ）に示すように、接続端子部４１ａを残した導体部分がカバーレイ４６により被覆され、絶縁保護されている。
【０１０６】
通常、ソース入力ＴＣＰ４１の接続端子部４１ａは、図８（ｂ）に示すように、ソース入力ＴＣＰ４１の幅とほぼ同じ幅であるので、カバーレイ４６はアクティブマトリックス基板８との重なり部分にまでこないように形成されている。ここで、カバーレイ４６と接続端子部４１ａとの境界４７はアクティブマトリックス基板８の端面８ａと平行な直線となっている。
【０１０７】
また、カバーレイ４６は、絶縁性の樹脂からなり、その硬度はフレキシルブル基板からなるソース入力ＴＣＰ４１の硬度よりも高くなっており、しかも柔軟性が少ない。このため、ソース入力ＴＣＰ４１において、接続端子部４１ａとカバーレイ４６の形成部分とが境界４７により明確に分離されることになり、硬度の異なるカバーレイ４６と接続端子部４１ａとの境界４７で断線が生じやすくなる虞もある。
【０１０８】
そこで、図８（ａ）に示すように、接続端子部４１ａの幅をソース入力ＴＣＰ４１の幅よりも小さくし、カバーレイ４６を該ソース入力ＴＣＰ４１とアクティブマトリックス基板８との重なり部分にまで形成する。このとき、接続端子部４１ａとカバーレイ４６との境界４７は、その両端部分がアクティブマトリックス基板８の端面８ａに対して略垂直状に形成されている。
【０１０９】
このように、図８（ａ）に示すようなカバーレイ４６の形状にすれば、ソース入力ＴＣＰ４１のほとんどの部分がカバーレイ４６で覆われることになるので、境界４７近傍において断線が生じにくくなる。
【０１１０】
また、従来のＣＯＧ方式では、フレキシブル基板を駆動ＩＣの外側で接続する必要があるが、本願発明では、フレキシブル基板を駆動ＩＣを搭載したＴＣＰ間に接続するようにしているため、端子幅を短くすることができる。
【０１１１】
さらに、従来のＣＯＧ方式では、全駆動ＩＣに対して入力信号をフレキシブル基板より入力する必要があるが、本願発明では、駆動ＩＣを搭載する特定のＴＣＰに対して入力信号および対向電極用信号を入力するだけでよい。
【０１１２】
なお、本実施の形態では、図６に示すように、回路基板２からゲート配線１０に供給する駆動電圧および駆動信号を上記のゲートＴＣＰ４のみに供給し、ソース入力ＴＣＰ４１から両端部のソースＴＣＰ５に駆動電圧および駆動信号を供給するようにした場合について説明した。
【０１１３】
ところで、液晶表示装置のパネルサイズが大きくなった場合、駆動信号の減衰に比べて、駆動電圧の減衰が非常に大きい。そこで、パネルサイズが大きくなった場合に、図６に示す液晶表示装置において、駆動電圧を分割供給するようにしてもよい。
【０１１４】
例えば、図６において、回路基板２から、上記のゲート配線１０に供給される駆動電圧と信号電圧とを各ゲートＴＣＰ４を介して供給するとともに、上記のソース配線１１に供給される駆動電圧と信号電圧とを、回路基板２から各ソースＴＣＰ５を介して供給するようにしてもよい。なお、図６では、回路基板２とソースＴＣＰ５との接続線は省略している。
【０１１５】
そして、ソースＴＣＰ５列において、安定化手段であるソース入力ＴＣＰ４１は、駆動電圧のみを供給し、回路基板２から供給される駆動電圧が減衰許容値となる位置の手前に配置される。
【０１１６】
上記の構成では、回路基板２により、駆動電圧および駆動信号を供給し、ソース入力ＴＣＰ４１により、駆動電圧のみを供給するようになっている。つまり、上記回路基板２は、ゲートＴＣＰ４列およびソースＴＣＰ５列の外側端部に配置され、それぞれのＴＣＰ列に駆動電圧および駆動信号を供給し、上記ソース入力ＴＣＰ４１は、ソースＴＣＰ５間に少なくとも１個配置され、両端のソースＴＣＰ５に駆動電圧を供給するようになっている。換言すれば、安定化手段としてのソース入力ＴＣＰ４１は、複数のソースＴＣＰ５から構成される電極接続端子部列（ソースＴＣＰ列）内の所定の位置、すなわち所定のソースＴＣＰ５・５間に配置され、この２つのソースＴＣＰ５・５と、該ソースＴＣＰ５・５にソース用駆動電圧供給配線を介して接続された複数のソースＴＣＰ５とに液晶駆動用の電圧を供給する。また、ソース入力ＴＣＰ４１に電気的に接続された複数のソースＴＣＰ５のうち、両端に位置する２つのソースＴＣＰ５・５に転送される駆動電圧は、減衰許容値よりも大きな値となっている。なお、ソースＴＣＰ列内に配されるソース入力ＴＣＰ４１の数は特に限定されるものではなく、一つであっても複数であってもよい。
【０１１７】
このように、駆動電圧のみを分割供給する構成にすることで、駆動電圧および駆動信号を分割供給する場合に比べて、ソース入力ＴＣＰ４１の回路構成を簡素化でき、これによって、液晶表示装置全体の構成を簡素化することができる。
【０１１８】
上記のように、回路基板から、ゲート配線に供給される駆動電圧および信号電圧を、またソース配線に供給される駆動電圧および信号電圧を供給するように構成された液晶表示装置の他の例としては、図９または図１０に示すものを挙げることができる。なお、図６に示す液晶表示装置と同一の部材に関しては同一の符号を付し説明を省略している。
【０１１９】
図９に示す液晶表示装置は、液晶パネル１、ゲート配線１０およびソース配線１１の双方に駆動電圧や駆動信号などの駆動用の信号（単に信号と称する）を供給する回路基板２ａ、該回路基板２ａからの信号を液晶パネル１に供給するための複数の電極接続端子部としてのゲートＴＣＰ４とソースＴＣＰ５５とを備えてなる。なお、ソースＴＣＰ５５は駆動ＩＣ（駆動手段）５５ａを備えている。上記の回路基板２ａは、アクティブマトリックス基板８のゲート側の周縁部とソース側の周縁部との交点領域に配されており、この回路基板２ａに隣接して設けられた、ゲートＴＣＰ列をなす複数のゲートＴＣＰ４の一つと、ソースＴＣＰ列をなす複数のソースＴＣＰ５５の一つとに、図示しないパネル配線（液晶パネル上に設けられた配線）により電気的に接続されている。
【０１２０】
ゲートＴＣＰ列をなす複数のゲートＴＣＰ４は、隣接するもの同士が図示しないパネル配線（ゲート用駆動電圧供給配線、及びゲート用駆動信号供給配線）により電気的に接続（直列接続）されており、回路基板２ａから供給された駆動電圧（図中、黒い太線で示す）および駆動信号（図中、ハッチングを付した太線で示す）が、ゲートＴＣＰ列をなす上流側（回路基板２ａ側）ゲートＴＣＰ４から下流側ゲートＴＣＰ４にかけて順次供給される。
【０１２１】
また、ソースＴＣＰ列をなす複数のソースＴＣＰ５５は、隣接するもの同士が図示しないパネル配線（ソース用駆動信号供給配線）により電気的に接続されており、回路基板２ａから供給された駆動信号（図中、ハッチングを付した太線で示す）が、ソースＴＣＰ列をなす上流側（回路基板２ａ側）ソースＴＣＰ５５から下流側ソースＴＣＰ５５にかけて順次供給される。一方、ソース用の駆動電圧は、液晶表示装置のパネルサイズが大きくなった場合の駆動電圧の減衰を考慮し、回路基板２ａとソース入力ＴＣＰ（安定化手段：回路基板）４１とにより分割供給する構成となっている。以下、ソース用の駆動電圧を分割供給する構成につき説明する。
【０１２２】
上記の回路基板２ａは、図示しないパネル配線（ソース用駆動電圧供給配線）により、隣接するソースＴＣＰ５５に電気的に接続されており、このソースＴＣＰ５５に駆動電圧を供給するようになっている。また、ソースＴＣＰ列をなす複数のソースＴＣＰ５５は、回路基板２ａに隣接するソースＴＣＰ５５からその下流側に位置するソースＴＣＰ５５Ａにかけて、図示しないパネル配線（ソース用駆動電圧供給配線）により互いに直列に接続され、回路基板２ａからの駆動電圧が順次供給されるようになっている。なお、上記パネル配線により接続されたソースＴＣＰ５５のうち、最下流側に位置するソースＴＣＰ５５Ａは、回路基板２ａから供給された駆動電圧が減衰許容値未満となる手前の位置に配されている。
【０１２３】
一方、ソース入力ＴＣＰ４１は、ソースＴＣＰ列の所定の位置（所定のソースＴＣＰ５５・５５間）に配されており、図示しないパネル配線（ソース用駆動電圧供給配線）により、隣接する２つのソースＴＣＰ５５・５５に電気的に接続されている。これにより、上記のソース入力ＴＣＰ４１は、ソースＴＣＰ列に沿った２方向に駆動電圧を供給可能となっている。また、ソース入力ＴＣＰ４１を挟むように配された複数のソースＴＣＰ５５は、該ソース入力ＴＣＰ４１に隣接する２つのソースＴＣＰ５５から、それぞれの下流側に位置するソースＴＣＰ５５Ｂ・５５Ｂにかけて、図示しないパネル配線（ソース用駆動電圧供給配線）により互いに直列に接続され、ソース入力ＴＣＰ４１からの駆動電圧が順次供給されるようになっている。
【０１２４】
なお、上記パネル配線により接続されたソースＴＣＰ５５のうち、最下流側に位置するソースＴＣＰ５５Ｂ・５５Ｂは、ソース入力ＴＣＰ４１から供給された駆動電圧が減衰許容値未満となる手前の位置に配されており、かつ、その一方は、回路基板２ａより駆動電圧が供給されるソースＴＣＰ５５Ａに隣接するように配されている。これにより、各ソースＴＣＰ５５には、回路基板２ａまたはソース入力ＴＣＰ４１から減衰許容値以上の駆動電圧が供給されるので、液晶表示装置を安定して駆動可能となる。
【０１２５】
また、いうまでもないが、上記のソース入力ＴＣＰ４１に相当する構成のゲート入力ＴＣＰをゲートＴＣＰ列を構成するゲートＴＣＰ４・４間に配して、ゲート入力ＴＣＰと回路基板２ａとでゲート用の駆動電圧を分割供給する構成としてもよい。さらに、ソース側とゲート側とで異なる駆動電圧、駆動信号を供給する際には、回路基板２ａにレギュレータ等を実装すればよい。
【０１２６】
なお、ソース入力ＴＣＰ４１とソースＴＣＰ５５との接続構造については、ソース入力ＴＣＰ４１とソースＴＣＰ５との接続構造と基本的に同一である（図７（ａ）（ｂ）参照）。すなわち、図７（ａ）に示す第１の配線４３は、図７（ｂ）に示すように、隣接するソースＴＣＰ５５・５５の駆動ＩＣ５５ａ・５５ａ同士を電気的に接続するための配線であって、回路基板２ａから供給された駆動信号は、この第１の配線４３を介して全てのソースＴＣＰ５５に順次転送される。一方、図７（ａ）に示す第２の配線４４は、ソース入力ＴＣＰ４１上の回路（ＩＣチップ）と、該ソース入力ＴＣＰ４１に隣接するソースＴＣＰ５５の駆動ＩＣ５５ａとを電気的に接続するための配線であって、ソース入力ＴＣＰ４１から供給された駆動電圧は、この第２の配線４４を介して下流側のソースＴＣＰ５５に順次転送される。なお、いうまでもないが、図６に示す液晶表示装置においては、駆動電圧および駆動信号の双方が、上記第２の配線４４を介して各ソースＴＣＰ５に転送されるので、第１の配線４３は省略可能である。
【０１２７】
一方、図１０に示す液晶表示装置は、図９に示す液晶表示装置において、ソース側の駆動電圧・駆動信号供給構造をより簡略化したものである。より具体的には、１）図９に示す回路基板２ａと、それに隣接するソースＴＣＰ５５とを一体化してなる回路基板搭載ＴＣＰ（ＦＰＣ：回路基板・安定化手段を兼ねる）２ｂを設けるとともに、２）ソース入力ＴＣＰ４１と、それに隣接するソースＴＣＰ５５の一方とを一体化してなる安定化手段搭載ＴＣＰ（ＦＰＣ：回路基板・安定化手段を兼ねる）４１ａ’を設けた構成である。なお、図１０に示す液晶表示装置の配線構造は、図９に示すものと実質上の違いはないので、ソース用の駆動信号、並びにゲート用の駆動信号、駆動電圧は、ＴＣＰ２ｂから順次供給され、一方、ソース用の駆動電圧は、ＴＣＰ２ｂと安定化手段搭載ＴＣＰ４１ａ’とにより分割供給される。つまり、ＴＣＰ２ｂと安定化手段搭載ＴＣＰ４１ａ’とはともに、液晶駆動用の信号を安定化する目的で、複数のソースＴＣＰ５５に該信号を分割供給する安定化手段である。
【０１２８】
以上のように、本発明にかかる液晶表示装置は、液晶駆動用の信号および電圧を電極接続端子部（ゲートＴＣＰおよび／またはソースＴＣＰ）の駆動手段（駆動ＩＣ）に供給する回路基板と、液晶駆動用の電圧のみを電極接続端子部（ゲートＴＣＰおよび／またはソースＴＣＰ）の駆動手段に供給する安定化手段とを備えてなり、上記の回路基板がゲートＴＣＰ列および／またはソースＴＣＰ列の外側（端部）に配されるとともに、上記の安定化手段が所定のゲートＴＣＰ間および／またはソースＴＣＰ間に配される構成であってもよい。
【０１２９】
本発明にかかる液晶表示装置はまた、液晶パネルに設けられた駆動用電極の所定本数毎に接続され、各駆動用電極を駆動可能な駆動手段を備えた複数の電極接続端子部が設けられた構成であって、さらに、液晶駆動用の信号（駆動信号）および電圧（駆動電圧）を上記電極接続端子部に供給する回路基板と、液晶駆動用の電圧のみを上記電極接続端子部に供給する安定化手段とを備えてなり、上記複数の電極接続端子部の駆動手段は、駆動信号供給配線を介して上記回路基板と直列に接続されているとともに、これら複数の電極端子部の一部が、駆動電圧供給配線を介して上記回路基板に直列に接続され、残りの電極接続端子部が駆動電圧供給配線を介して上記安定化手段に直列に接続されてなる構成であってもよい。
【０１３０】
一般に、駆動電圧と駆動信号とでは、駆動電圧の方がその減衰が著しく、ゲートＴＣＰ列とソースＴＣＰ列との交点部（液晶パネル周縁部の角部）に設けられた回路基板のみからソース用および／またはゲート用の駆動電圧を供給する構成では、パネルサイズなどの条件により、該回路基板の下流側に位置するゲートＴＣＰおよび／またはソースＴＣＰに充分な強度の駆動電圧が供給されない虞がある。しかしながら、上記の構成によれば、回路基板と安定化手段とにより駆動電圧が分割供給されるので、その減衰の影響を低減することが可能となる。なお、上記の安定化手段は、ゲートＴＣＰ列および／またはソースＴＣＰ列をなす所定のＴＣＰ間に配すればよい。
【０１３１】
【発明の効果】
本発明の液晶表示装置は、以上のように、一対の基板間に液晶が介在され、各基板には上記液晶を駆動するための駆動用電極が形成された液晶パネルを備え、上記液晶パネルには、上記駆動用電極に接続された複数のＴＣＰと、該ＴＣＰに液晶駆動用の信号を供給するための回路基板とが設けられ、上記各ＴＣＰ間には、上記回路基板から供給された信号を各ＴＣＰに順次転送するための接続配線が設けられると共に、少なくとも一つのＴＣＰ間に上記接続配線に転送される信号を安定化させる安定化手段が設けられ、該安定化手段は、上記液晶駆動用の信号としての駆動信号および駆動電圧の強度を調整するための電子部品が搭載されたフレキシブル基板からなり、上記フレキシブル基板の電子部品と上記接続配線とが電気的に接続されている構成である。
【０１３２】
それゆえ、ＴＣＰ間の接続配線に転送される信号を安定化させる安定化手段が設けられていることで、液晶パネルのサイズが大きくなりＴＣＰ間の間隔が広くなった場合に生じる配線抵抗の増大による電圧降下の影響を軽減することができる。すなわち、液晶パネルの大型化に伴う配線抵抗による電圧降下の影響を無くした駆動電圧を各ＴＣＰに供給することができるという効果を奏する。
【０１３３】
また、本発明の液晶表示装置に含まれる安定化手段は、駆動電圧および駆動信号などの信号を供給する手段を兼ね、且つ、ＴＣＰ間に分割して信号を供給できるように、ＴＣＰ列の所定の位置（所定のＴＣＰ間）に複数配置されている構成である。
【０１３４】
これにより、駆動電圧および駆動信号が、上記ＴＣＰ列をなす複数のＴＣＰ間を順次転送されるとき、その値が液晶パネルを駆動するのに必要な最小限の値（減衰許容値）が供給されるＴＣＰの直後に安定化手段を配置するようにすれば、必要最小限の数の安定化手段で済むので、装置の製造にかかる費用を低減することができるという効果を奏する。
【０１３５】
また、本発明の液晶表示装置は、一対の基板間に液晶が介在され、各基板には上記液晶を駆動するための駆動用電極が形成された液晶パネルを備え、上記液晶パネルには、上記駆動用電極の所定本数毎に接続され、各駆動用電極を駆動可能な駆動手段を備えたＴＣＰと、上記ＴＣＰの駆動手段に液晶駆動用の信号としての駆動信号および駆動電圧を供給するための回路基板とが設けられ、上記ＴＣＰ間に、上記回路基板から供給された駆動信号および駆動電圧を各ＴＣＰに順次転送するための接続配線が設けられると共に、該接続配線に転送される液晶駆動用の電圧（駆動電圧）を安定化させる安定化手段が設けられ、上記安定化手段は、ＴＣＰ間に少なくとも１個配置され、隣接する２つの電極接続端子部からその下流側に電気的に接続された電極接続端子部にかけて、液晶駆動用の信号としての駆動電圧を供給する構成である。
【０１３６】
これにより、駆動電圧を分割供給する構成にすることで、駆動電圧および駆動信号を分割供給する場合に比べて、安定化手段の回路構成を簡素化でき、これによって、液晶表示装置全体の構成を簡素化することができるという効果を奏する。
【図面の簡単な説明】
【図１】本発明の一実施の形態に係る液晶表示装置の概略斜視図である。
【図２】（ａ）は、ソースＴＣＰとフレキシブル基板との接続構造を示した概略平面図であり、（ｂ）は、（ａ）で示したフレキシブル基板の概略平面図である。
【図３】本発明の液晶パネルの周縁部におけるＴＣＰの実装構造の一例を示す説明図である。
【図４】本発明の液晶パネルの周縁部におけるＴＣＰの実装構造の他の例を示す説明図である。
【図５】図１に示す液晶表示装置にＧＮＤラインを補強する金属板を装着した構造を表す概略斜視図である。
【図６】本発明の他の実施の形態に係る液晶表示装置の概略平面図である。
【図７】（ａ）は、図６に示す液晶表示装置におけるソース入力ＴＣＰの実装構造を示す説明図であり、（ｂ）は、（ａ）で示したソースＴＣＰとソース入力ＴＣＰとの概略平面図である。
【図８】図６に示す液晶表示装置におけるソース入力ＴＣＰにカバーレイを形成した状態を示す説明図であり、（ａ）は、ソース入力ＴＣＰの断線防止のカバーレイ形成構造を示す平面図であり、（ｂ) は、（ａ）の比較例としてソース入力ＴＣＰのカバーレイ形成構造を示す平面図である。
【図９】図６に示す液晶表示装置の一変形例の概略構成を示す平面図である。
【図１０】図９に示す液晶表示装置の一変形例の概略構成を示す平面図である。
【図１１】従来のＴＣＰ方式の液晶表示装置の概略平面図である。
【図１２】従来のＣＯＧ方式の液晶表示装置の概略平面図である。
【符号の説明】
１      液晶パネル
２      回路基板
２ａ    回路基板
２ｂ    ＴＣＰ（回路基板；ソースＴＣＰ）
４      ゲートＴＣＰ（電極接続端子部）
４ａ    駆動ＩＣ（駆動手段）
５      ソースＴＣＰ（電極接続端子部）
５ａ    駆動ＩＣ（駆動手段）
６      フレキシブル基板（安定化手段）
７      電子部品
８      アクティブマトリックス基板（基板）
９      対向基板（基板）
１０      ゲート配線
１１      ソース配線
１２      転送用パネル配線（接続配線）
３０ｂ    金属板（安定化手段）
４１      ソース入力ＴＣＰ（安定化手段）
４１ａ’  安定化手段搭載ＴＣＰ（安定化手段；ソースＴＣＰ）
５５      ソースＴＣＰ（電極接続端子部）
５５ａ    駆動ＩＣ（駆動手段）
５５Ａ    ソースＴＣＰ（電極接続端子部）
５５Ｂ    ソースＴＣＰ（電極接続端子部）
【図１】
0003539555.tif 000002
【図２】
0003539555.tif 000003
【図３】
0003539555.tif 000004
【図４】
0003539555.tif 000005
【図５】
0003539555.tif 000006
【図６】
0003539555.tif 000007
【図７】
0003539555.tif 000008
【図８】
0003539555.tif 000009
【図９】
0003539555.tif 000010
【図１０】
0003539555.tif 000011
【図１１】
0003539555.tif 000012
【図１２】
0003539555.tif 000013